(57)【要約】【目的】カメラのファインダー内照明を行う際、より効率的に光を射出させる光学ブロックと光源を適切に配置、形状決定することでファインダー内のスペースを有効に利用することを可能とする。【構成】カメラの上部にはカメラ外観部品となるトップカバー７が設けられ、前方には不図示のマウント、フロントカバー８が同じく設けられ、ペンタプリズム４の上部にはＳＩプレート３に設けられた光偏向部材の測距マークの形状とピント板２上の第１次結像とをスーパーインポーズさせるための光偏向部材の測距マークを照射するために光学ブロック５、光束を制限するためのマスクＭ１，Ｍ２，Ｍ３，Ｍ４，Ｍ５、そして光源ＬＥＤ６３が配置されている。【選択図】        図１
2005128332.tif 000002
【特許請求の範囲】
【請求項１】
対物レンズより入射した光束の物体像が形成される予定結像面近傍に、光偏向性を有する複数の表示部が配置され、対物レンズ光路、ファインダー光路から外れた部位に配置された複数の光源からの光束を入射し、射出レンズを介して射出した光束により、前記光偏向部を照射、照明させる光学ブロックに於いて、この光学ブロックは、ペンタダハ光学系上部、若しくは前部に配置され、その射出レンズのうち少なくとも１つは、３つ以上の前記光源からの光束を夫々対応する表示部に照射、照明するスーパーインポーズ表示を行うことを特徴とするカメラのファインダー内照明装置。
【請求項２】
上記１つの照射レンズに導かれる３つ以上の光源の光軸は、夫々同一平面上になく、ねじれの位置関係にあることを特徴とする請求項１に記載のカメラのファインダー内照明装置。
【請求項３】
上記１つの照射レンズに導かれる３つ以上の光源を照射レンズに導くための光学ブロックに於いて、３つのうち２つの光源の光束を１つの射出レンズに導くために用いられる反射若しくは全反射の回数は他の１つの光源の光束を導くためのそれらよりも少ないことを特徴とする請求項１に記載のカメラのファインダー内照明装置。
【発明の詳細な説明】
【技術分野】
【０００１】
本発明は、カメラのファインダー画面内照明装置に関するものであり、更に詳しくは一眼レフカメラや、ビデオカメラなどに於いてファインダー内に撮影に必要な情報をファインダー光路外からの照明によりスーパーインポーズ表示するカメラのファインダー内照明装置に関するものである。
【背景技術】
【０００２】
従来、一眼レフカメラファインダー内の予定結像点（第１次結像点）に撮影情報を重ねて表示する所謂スーパーインポーズ表示が種々知られている。通常一眼レフカメラには撮影に必要な情報をファインダー視野内に表示する必要がある。撮影に必要な情報とは、例えばシャッター速度や絞り値の情報、露出補正情報などカメラの露出に関する情報や、ＡＦ（オートフォーカス、Ａｕｔｏ  Ｆｏｃｕｓ）に使用される測距エリアや、重点測光、スポット測光位置を表す測光エリアマーク、ストロボの使用の表示、焦点検出情報（フォーカスエイド、前ピン、後ピン情報）、パノラマ撮影範囲、パノラマ情報などがある。
【０００３】
この種のカメラのファインダー内照明装置は特開２００１−３０５５３９号公報に示される機構が一般に知られている。多点（複数点）ＡＦ機能を有する一眼レフカメラに於いては、複数ある測距エリアのうちのどの測距エリアが選択測距されているのかをユーザーに認識させる必要がある。この測距エリア選択認識機能が無いと、ユーザーが意図した被写体以外の被写体にＡＦが行われてしまうからである。この表示機能としてファインダー視野枠外に配置されているＬＣＤ等のファインダー内表示部にファインダー視野内の測距エリア位置に対応した形状を模式的に表し、選択させているエリアのみを、表示させ、ユーザーにどの部位の測距エリアを選択しているか認識させる方法や、液晶等を第１次結像点近傍に配置し測距エリア、測光エリアなどをファインダー画面に直接スーパーインポーズさせる方式である。
【０００４】
しかしながら上記特許文献における方式では、ファインダー内に於ける被写体の位置と、測距位置を認識させるＬＣＤ表示部との距離が離れているため、選択測距エリアを確認するために被写体から目を動かす必要があることから視認性が良いとは言えず、また、測距エリアの暗転によって測距エリアマークを表示させるため、ファインダー画面が暗くなり、特に被写体輝度が低くなった場合、開放Ｆ値の大きなレンズを対物レンズとして装着させた場合にファインダーの明瞭性等の観察視認性が著しく低下するという問題点がある。
【特許文献１】特開２００１−３０５５３９号公報
【発明の開示】
【発明が解決しようとする課題】
【０００５】
上記問題点を回避する為にファインダー光路から外れた位置にＬＥＤ等の光源、光束を制限するマスク、この光源からの光束を予定結像点近傍に照射させるための光学ブロックを配置する。この光学ブロックは、光源からの光を導く部位とその光源を照射する射出レンズ部位よりなる。その照射された光束を予定結像点近傍に配置された光偏向部材を用いて反射、若しくは回折させ、ファインダーを介して観察する事で測距エリアの選択を認識する方法が提案されている。
【０００６】
この光学ブロックはファインダー光路近傍に配置され、且つファインダー視野を妨げない事が必要条件になることからペンタダハ光学系近傍に光学ブロックを配置する方法が種々提案されているが、光学ブロックより射出された光束を光偏向部位に照射し、その反射光、若しくは回折光をファインダーを介して観察する必要から、光偏向部位の位置つまり、ファインダー視野内の測距エリアの位置によって光学ブロックの射出レンズ位置がほぼ決まってしまう。
【０００７】
つまり、アイポイント（ユーザーの目の位置）、後述する光偏向部材である測距マークの位置、光学ブロックの射出レンズ位置、光源は光学的に光路展開すると、一直線に並ぶ必要がある。よって光偏向部位の測距マークの位置によってはアイポイントの位置はほぼ変わらないため、固定と考えると光学ブロックの射出レンズの位置が非常に近くなって、重なってしまったり間隔が広くなりすぎたりし、射出レンズを必要な位置に必要な間隔を確保して配置する事が困難になる。
【課題を解決するための手段】
【０００８】
本発明は、このような課題を解決するために、対物レンズより入射した光束の物体像が形成される予定結像面近傍に光偏向性を有する複数の表示部を配置し、対物レンズ光路、ファインダー光路から外れた部位に配置された複数の光源からの光束を入射し、結像レンズを介して射出した光束で前記光偏向部を照射、照明させる光学ブロックにおいて、この光学ブロックはペンタダハ光学系の上部、若しくは前部に配置されその射出レンズのうち少なくとも１つは３つ以上の光源からの光束を夫々対応する表示部に照射するスーパーインポーズ表示を提供する。
【０００９】
ここで上記１つの照射レンズに導かれる３つ以上の光源の光軸は、夫々同一平面上になく、ねじれの位置関係にあることが望ましい。
【００１０】
また、上記１つの射出レンズに導かれる３つ以上の光源を射出レンズに導くための光学系において、１つの光源からの光束を導くために用いられる反射若しくは全反射の回数は他の光源からのそれらの回数よりも少なくすることも可能である。
【発明の効果】
【００１１】
本発明のカメラのファインダー内照明装置は、光学ブロックの照射レンズに導かれる３つ以上の光源の光軸をねじれの位置関係になるようにし、また、上記光学ブロックに於いて、３つのうち２つの光源の光束を１つの射出レンズに導くために用いられる反射若しくは全反射の回数は他の１つの光源の光束を導くためのそれらよりも少なくするようにしたので、ファインダー内のスペースを有効に利用することを可能とし、視認性の良いファインダー内照明装置を得ることができる。
【発明を実施するための最良の形態】
【００１２】
以下図面を参照して本発明のもっとも有効な実施形態を説明する。図１は本発明の第１実施形態であるファインダー内照明装置を備えたカメラの中央断面図、図２は本発明の第１実施形態におけるファインダー内照明装置を備えたカメラのファインダー装置の斜視図である。
【００１３】
図１において、不図示の対物レンズ（撮影光学系）を介した被写体光は、ミラーダウン位置にある可動ハーフミラー１により反射されて、ピント板２近傍に第１の結像をする。この第１次結像された像がＳＩプレート３、ペンタプリズム４、ファインダー光学系９を介してアイポイント上にある撮影者の目に到達する。又、ミラーアップ時は対物レンズを介した被写体光はアイポイントに導かれず、可動ハーフミラー１後方に配置されたフィルムやＣＣＤ，ＣＭＯＳ等の撮像素子上に露光する。
【００１４】
ペンタプリズム４の上部にはＳＩプレート３に設けられた後述する光偏向部材である測距マークの形状とピント板２上の第１次結像とをスーパーインポーズさせるために光偏向部材の測距マークを照射するための光学ブロック５、光源ＬＥＤ６３が配置されている。また、後述する光束を制限するためのマスクＭ１，Ｍ２，Ｍ３，Ｍ４，Ｍ５が配置されている。上記ＳＩプレート３にはＡＦ測距位置を表す測距マークＨ１，Ｈ２，Ｈ３，Ｈ４，Ｈ５が図３のように配置されている。
【００１５】
次に本実施形態における照明系の詳細な説明を行う。
【００１６】
スーパーインポーズユニットは、光源ＬＥＤ６３と図５の光学ブロック斜視図に図示されるようにその光源ＬＥＤの光束を制限するマスクＭ１，Ｍ２，Ｍ３，Ｍ４，Ｍ５そして、マスクより射出した光束をＳＩプレート３に導く様にペンタプリズム４に入射させる役割を持つ光学ブロック５より構成されている。図２に示すように、光源ＬＥＤ６３はＳＩプレート３の光偏向部材の測距マークＨ１，Ｈ２，Ｈ３，Ｈ４，Ｈ５の数に従って５つ、光源ＬＥＤ６１，６２，６３，６４，６５と配置されている。光学ブロック５は該５つの光源ＬＥＤ６１，６２，６３，６４，６５から投光された光束を夫々ペンタプリズム４に導く役割を持つ。この光学ブロック５は光源ＬＥＤ６１の光束をファインダー左側の光偏向部材の測距マークに導く部位と光源ＬＥＤ６２，６３，６４の光束を夫々、ファインダー上、中、下の光偏向部材の測距マークに導くための中央部位、光源ＬＥＤ６５をファインダー右側の光偏向部材の測距マークに導くための部位の３つに分かれている。但し、図５の光学ブロック斜視図のようにこの３つの部位は一体で成形されている。
【００１７】
光学ブロック５の夫々が射出レンズを有して、対応する光偏向部材の測距マークに光源の光束を照射している。この際、射出レンズは光偏向部材の測距マーク夫々に対応させると５つ必要になるが、この中央のファインダー上、中、下に光束を導く光源ＬＥＤ６２，６３，６４からの光束を集光させる射出レンズは１つの射出レンズＲ２で３つの光源からの光束を、測距エリア位置の光偏向部材の測距マークＨ２，Ｈ３，Ｈ４の３つに照射を行っている。左右の射出レンズＲ１，Ｒ３と中心の射出レンズＲ２では、パワーの異なる曲面で構成されている。この面は球面でも良いし、非球面でも良い。この射出レンズＲ１，Ｒ２，Ｒ３はマスクの形状を適切な倍率を持たせてＳＩプレート３の光偏向部材の測距マークに照射する役割を持つ。パワーが中心と周辺で異なるのは左右の光偏向部材の測距マークの形状寸法と、上、中、下の光偏向部材の測距マークの形状寸法が異なるためであり、光源ＬＥＤ６３と光学ブロック５の間に配置されたマスクの像とＳＩプレート３に投影する倍率を異ならせ、光源から照射し、マスクを透過した光を、光偏向部材の測距マークにより適切にムダ、ムラなく照射させるためである。
【００１８】
この光源ＬＥＤ６１から照射された光束は、図５に図示されている光束を制限するマスクＭ１を透過する事により、迷光と成り得る不必要な光束を遮断する。マスクを透過した後、光学ブロック５の左側に入射し、面Ｓ１で全反射をし、面Ｓ０に向かって偏向させられる。この面Ｓ１は光源ＬＥＤ６１からの光束を全反射をするような角度に適切に設定されている。又面Ｓ０は、全反射を起こす角度に設定されていないため、銀、アルミ等が真空蒸着等の手段により付着され、反射面処理がなされている。面Ｓ０で反射された光は射出レンズＲ１に導かれる。射出レンズＲ１により光束は集光され、ペンタプリズム４に入射し、そのまま反射、拡散することなく透過する。透過した光はペンタプリズム４の下に位置するＳＩプレート３に入射する。ＳＩプレート３にはファインダー上で観察したい形状に光偏向部材の測距マークＨ１を配置してある。この形状は必ずしも測距マークである必要はなく、測光範囲マークやパノラママーク等でもよい。
【００１９】
この光偏向部材の測距マークＨ１で図４の断面図に示すように、光源からの光は２回全反射行うことにより、上部に向かって偏向され再びペンタプリズム４に入射し、ファインダー光学系９、アイポイントに導かれる。この偏向される角度はＳＩプレート３の位置、光学ブロック５、光源ＬＥＤ６３の位置によりほぼ一義的に決定される。この光偏向部の測距マークは全反射を利用しているため、この２回の反射において光量のロスがなく、また、反射物質を蒸着や塗装により附着させる必要もなく、光源光束の光量を効率良くアイポイントに導く事が出来る。
【００２０】
光源ＬＥＤ６２から照射された光束は図５に図示される光束を制限するマスクＭ２を透過する事により迷光と成り得る不必要な光束を遮断する。マスクＭ２を透過した後、光学ブロック５中央部に入射し、面Ｓ２で全反射をし、面Ｓ０に向かって偏向させられる。この面Ｓ０は前述の光源ＬＥＤ６１の光束を反射させた面と同一平面であるが、光源ＬＥＤ６１の光束を反射させる領域と光源ＬＥＤ６２の面（後述の光源ＬＥＤ６５の面も同様に領域が異なる）とは、反射に使用する領域が異なるため、この面の蒸着は面Ｓ０全面に施しても良いし、光源ＬＥＤ６１部、光源ＬＥＤ６２・６３・６４部、光源ＬＥＤ６５部の３つの必要領域毎に分けても良い。必要領域毎に分ける事で、必要光束を確保する事を可能とした上で、迷光と成り得る不必要光束を遮断することも可能となる。またＳ０面は同一平面である必要もない。光源ＬＥＤ６１光が照射する領域の面と光源ＬＥＤ６２光が照射する領域の面と面を分けることで、設計に自由度をもたせることが出来、光源ＬＥＤ６１、６２（後述の光源ＬＥＤ６３，６４，６５）の配置決定に自由度を持つ事が出来る。この光源ＬＥＤ６３を配置している部位はトップカバー７やフロントカバー８、ペンタプリズム４や不図示の電装フレキに囲まれた部位になり、スペースが非常に狭い領域にＬＥＤ光源をこの場合５つ配置している。
【００２１】
面Ｓ０に到達した光束は面Ｓ０で反射され、図５に図示されている射出レンズＲ２に導かれる。射出レンズＲ２により光束は集光されペンタプリズム４に入射する。入射した光束はペンタプリズム４内で反射、拡散することなく、そのまま透過し、ペンタプリズム４の下に位置するＳＩプレート３に入射する。ＳＩプレート３にはファインダー上で観察したい形状に光偏向部材の測距マークを配置してある。この光源ＬＥＤ６２からの光束はファインダー上部に配置する測距マークＨ２に照射される。この測距マークＨ２で前述の様に２回全反射を行う事により、偏向され、再びペンタプリズム４に入射し、ファインダー光学系９、アイポイントに導かれる。この偏向される角度は、ＳＩプレート３の位置と光学ブロック５の位置、光源ＬＥＤ６３の位置により決定される一義的な値である。またこの光束は真上にではなくアイポイントに導く角度に偏向されるよう適切な角度に偏向角を設定しており、前述の光源ＬＥＤ６１からの光束を偏向する測距マークＨ１部とは偏向角を異ならせている。この面も全反射面を利用しているため、この２回の反射においても光量ロスが無く、光源の光束を有効にアイポイントに導く事が出来る。
【００２２】
光源ＬＥＤ６３から照射された光束は、図５に図示されている光束を制限するマスクＭ３を通過することにより、迷光と成り得る不必要な光束を遮断する。光源ＬＥＤ６３からの光束はマスクを透過した後、光学ブロック５中央部に入射し、そのまま面Ｓ０に到達する。つまり光源ＬＥＤ６１，６２（後述の光源ＬＥＤ６４，６５）の様に全反射を使用すること無く、反射を１回少ない回数で面Ｓ０に光束が導かれる。この面Ｓ０に到達した光の領域は光源ＬＥＤ６２（後述の光源ＬＥＤ６４共）とほぼ等しい位置、広さになる。この面Ｓ０に到達した光は面Ｓ０で反射され、光源ＬＥＤ６２（後述の光源ＬＥＤ６４）と同様射出レンズＲ２に導かれる。この射出レンズＲ２により光束は集光されペンタプリズム４に入射する。ペンタプリズム４に入射した光束はペンタプリズム４内で反射、拡散する事なく、そのまま透過し、その下に位置するＳＩプレート３に入射する。ＳＩプレート３はファインダー上で観察したい形状に光偏向部材の測距マークを配置してある。この場合はファインダー中心の測距マークＨ３である。この部材で前述のように２回全反射を行う事により偏向され再びペンタプリズム４に入射し、ファインダー光学系９、アイポイントに導かれる。この偏向される角度は、ＳＩプレート３の位置と光学ブロック５の位置、光源ＬＥＤ６３の位置により決定される値である。この面も全反射を利用しているため、この２回の反射においても光量ロスが無く、光源の光束を有効にアイポイントに導く事が出来る。
【００２３】
光源ＬＥＤ６４は図２のように光源ＬＥＤ６２とほぼ対称に配置している。しかし、光軸の傾きにはかなり大きな差異がある。光源ＬＥＤ６４から照射された光束は、図５のようにマスクＭ４を透過し、面Ｓ４で全反射を行い、面Ｓ０に導かれる。面Ｓ０より反射した光束は射出レンズＲ２で集光され、ペンタプリズム４に入射、透過し、ＳＩプレート３の光偏向部材の測距マークＨ４で全反射する。この光偏向部材の測距マークはファインダー下側の測距マークＨ４である。偏向した光は真上にではなくアイポイントに導く角度に偏向される。この偏向角も測距マークＨ２，Ｈ３とは異なる偏向角を有している。          
【００２４】
光源ＬＥＤ６５は図２のように光源ＬＥＤ６１と対称に配置している。この実施例では完全に対称に配置しているが、ペンタプリズム４上部に配置される不図示の電装フレキに実装されるパーツの配置、トップカバー７との干渉などの影響により、完全に対称に配置する必要も無いし、対称に近い必要も無い。光源ＬＥＤ６５から照射された光束は図５に図示されているマスクＭ５を通過し、面Ｓ５で全反射し、面Ｓ０に導かれる。面Ｓ０より反射をした光束は射出レンズＲ３で集光され、ペンタプリズム４に入射、透過し、ＳＩプレート３の光偏向部材の測距マークＨ５で全反射され、ファインダー光学系９、アイポイントに導かれる。この場合はファインダー内右側の測距マークＨ５である。
【００２５】
この光偏向部材の測距マークＨ１，Ｈ３，Ｈ５の偏向角は、等しく設定されている。これは図１の中央断面図より分かるように、断面方向から見ると、アイポイントから、射出レンズまで光路展開をした際、光源ＬＥＤ６１，６３，６５から射出レンズＲ２，測距マークＨ１，Ｈ３，Ｈ５を介してアイポイントまで一直線にならぶ光路を辿るためである。
【００２６】
これらのマスクＭ１，Ｍ２，Ｍ３，Ｍ４，Ｍ５は光源ＬＥＤ６１，６２，６３，６４，６５より照射された光が、拡散し、夫々に対応しない光偏向部材の測距マークを照明することや、ペンタプリズム４やファインダー光路内で迷光となることを防いでいる。また光偏向部材の測距マークＨ１，Ｈ２，Ｈ３，Ｈ４，Ｈ５までの領域の大きさ、形状と各射出レンズＲ１，Ｒ２，Ｒ３の倍率、射出状態の違いにより、これらのマスクＭ１，Ｍ２，Ｍ３，Ｍ４，Ｍ５の開口寸法は異なり、形状は長方形であったり、平行四辺形、若しくは菱形、正方形であったりする。
【００２７】
また、この実施例では、上記光偏向部材の測距マークＨ１，Ｈ２，Ｈ３，Ｈ４，Ｈ５を多点ＡＦに用いる測距エリアの選択位置を観察者に認識させるために配置されている。多点ＡＦ機能はファインダー視野内の複数部位の任意の位置のＡＦを合焦させる事を可能とする機能である。これは被写体が必ずしもファインダー中央部に無いために、周辺部位にも測距可能なエリアが設けられている。しかしながら実際の撮影では、周辺部位の測距エリアを使用する頻度よりも中央部位の測距エリアを使用する頻度が圧倒的に多い。これは被写体が中央測距エリア部位に無くともフォーカスロック機構を使用することにより周辺部の被写体にも中心測距センサーで合焦させる事が可能である事や、又、周辺部ＡＦ測距センサーは中央部のＡＦ測距センサーと比べて合焦精度が悪いとされるためである。それゆえ中央の測距部位を表す光偏向部材の測距マークの領域を広くしたり、その部位に照射する光量を大きくして、周辺部位測距エリアより観察者に認識しやすくする事が求められる。よって周辺に照射する光束より、中心部の測距マークＨ３に照射する光源ＬＥＤ６３より照射された光束の光学ブロック５内での光学的作用、特に反射の回数を少なくする事により、視認性の良いファインダー内照明装置を得る事が出来る。
【図面の簡単な説明】
【００２８】
【図１】カメラの中央断面図である。
【図２】ファインダー内照明装置の斜視図である。
【図３】実施例における測距マークの配置模式図である。
【図４】ＳＩプレートにおける２回全反射の様子を示した断面図である。
【図５】光学ブロック斜視図である。
【符号の説明】
【００２９】
１  可動ハーフミラー
２  ピント板
３  ＳＩプレート  
４  ペンタプリズム
５  光学ブロック
７  トップカバー
８  フロントカバー
９  ファインダー光学系
６１  光源ＬＥＤ
６２  光源ＬＥＤ
６３  光源ＬＥＤ
６４  光源ＬＥＤ
６５  光源ＬＥＤ
Ｈ１  測距マーク
Ｈ２  測距マーク
Ｈ３  測距マーク
Ｈ４  測距マーク
Ｈ５  測距マーク
Ｒ１  射出レンズ
Ｒ２  射出レンズ
Ｒ３  射出レンズ
Ｓ０  面
Ｓ１  面
Ｓ２  面
Ｓ４  面
Ｓ５  面
Ｍ１  マスク
Ｍ２  マスク
Ｍ３  マスク
Ｍ４  マスク
Ｍ５  マスク
【図１】
2005128332.tif 000003
【図２】
2005128332.tif 000004
【図３】
2005128332.tif 000005
【図４】
2005128332.tif 000006
【図５】
2005128332.tif 000007